【事件の表示】
　平成１０年特許願第　８６６０４号「信号処理回路および信号処理方法」拒絶査定不服審判事件〔平成１１年１０月１５日出願公開、特開平１１−２８４６７１〕について、次のとおり審決する。
【結　論】
　本件審判の請求は、成り立たない。
【理　由】
第１　手続の経緯
　本願は、平成１０年３月３１日を出願日とする出願であって、平成１８年９月２２日付けで拒絶理由が通知され、同年１１月２７日付けで手続補正がなされ、平成１９年５月２９日付けで拒絶査定がなされ、これに対し、同年７月５日に拒絶査定不服の審判が請求されたものである。
　
第２　本願発明
　特許請求の範囲の請求項１に係る発明（以下、「本願発明」という。）は、平成１８年１１月２７日付け手続補正書により補正された明細書及び図面の記載からみて、その特許請求の範囲の請求項１に記載された以下のとおりのものと認める。
　
　「所定のシリアルディジタルデータにある生成多項式で表されたスクランブル処理を施して得られた入力シリアルディジタルデータに対して所定の生成多項式で表されたデスクランブル処理をする、複数の縦続接続された遅延回路と複数の排他的論理和ゲートにより構成された第１の信号処理手段と、
　上記第１の信号処理手段より出力されるシリアルディジタルデータに対して上記生成多項式で表されるスクランブル処理を施して出力シリアルディジタルデータを得る、複数の縦続接続された遅延回路と複数の排他的論理和ゲートにより構成された第２の信号処理手段と
を備えることを特徴とする信号処理回路。」
　
第３　引用発明
　原審の拒絶理由に引用された特開昭６１−２３６２３５号公報（以下、「引用例」という。）には図面とともに以下の事項が記載されている。
　
イ．「〔産業上の利用分野〕
　本発明は、ディジタル無線通信装置に利用する。特に、ディジタル無線通信回線に、同一ディジタル論理値が長時間連続しないように、送信側でスクランブルを行い、受信側でデスクランブルを行う無線通信方式の中継接続に関する。」（１頁右下欄３〜８行）
　
ロ．「〔従来の技術〕
　ディジタル無線通信装置では、送信信号の変調が長い時間にわたり「１」または「０」が連続すると、信号の中の同期を失うことになる。このため、送信側で変調信号であるベースバンド信号にスクランブルを施し、受信側で復調信号に同一論理のデスクランブルを施す方式が広く用いられている。
　このような方式の無線通信回線が複数の区間について中継接続されると、前の無線区間から受信した信号にデスクランブルを施し、この信号に同一の論理で再びスクランブルを施し、このスクランブルした信号を次の無線区間に送信する、いわゆる背中合わせの中継接続が行われることがある。
　第２図はこれを説明するもので、第２図（ａ）は端局Ａから左方へ無線信号が中継接続される様子を示す。中継局Ｂ〜Ｅでは中継信号をベースバンドに落とすことなく中継するが、中継端局Ｆでは受信する無線信号を復調してベースバンドに落とし、再び無線信号に変調して送信する背中合わせの接続が行われる。
　第２図（ｂ）はこれを説明する図である。第２図（ｃ）は変調装置ＭＯＤおよび復調装置ＤＥＭの構成をさらに詳しく説明するもので、変調装置ＭＯＤにはデータプロセッサＭＰＵ、スクランブラＳＣＲＢおよび変調器Ｍを含む。また復調装置ＤＥＭには復調器Ｄ、デスクランブラＤＳＣＲＢおよびデータプロセッサＭＰＵを含む。
　第２図（ｄ）はこのスクランブラとデスクランブラの結合に着目して示すもので、中継端局Ｆで同一論理のスクランブラとデスクランブラとが背中合わせに接続されて、この中継端局Ｆで信号の分岐も挿入も行われていないものとする。」（２頁左上欄１行〜同頁右上欄１３行）
　
　上記引用例の記載及び図面ならびにこの分野における技術常識を考慮すると、まず、上記摘記事項イ．にも「ディジタル論理値」とあるように、引用例の無線通信方式はディジタルの値、即ち「ディジタルデータ」を時系列順に逐次連続して送る「シリアル」の通信方式であるから、「シリアルディジタルデータ」を中継接続するものであって、上記摘記事項ロ．の記載、第２図（ｃ）及び（ｄ）によれば、中継端局（Ｆ）のデスクランブラ（ＤＳＣＲＢ）は、端局（Ａ）にスクランブラ（ＳＣＲＢ）があるから、当然、端局（Ａ）において、所定のシリアルディジタルデータにスクランブル処理を施して得られたシリアルディジタルデータを入力として、これに対してデスクランブル処理をしていることが読み取れる。
　また、上記摘記事項ロ．の記載、第２図（ｃ）及び（ｄ）によれば、中継端局（Ｆ）のスクランブラ（ＳＣＲＢ）は、入力側のデスクランブラ（ＤＳＣＲＢ）より出力されるシリアルディジタルデータに対してスクランブル処理を施して出力シリアルディジタルデータを得ていることが読み取れる。
　
　したがって、引用例には以下の発明（以下、「引用発明」という。）が記載されている。
　
　「所定のシリアルディジタルデータにスクランブル処理を施して得られた入力シリアルディジタルデータに対してデスクランブル処理をする、デスクランブラ（ＤＳＣＲＢ）と、
　上記デスクランブラ（ＤＳＣＲＢ）より出力されるシリアルディジタルデータに対してスクランブル処理を施して出力シリアルディジタルデータを得る、スクランブラ（ＳＣＲＢ）と、
を備える中継端局（Ｆ）。」
　
第４　対比
　本願発明と引用発明とを対比する。
ａ．引用発明の「デスクランブラ（ＤＳＣＲＢ）」及び「スクランブラ（ＳＣＲＢ）」は、「シリアルディジタルデータ」即ち「信号」に対し、それぞれ、デスクランブル、スクランブルの処理を施すものであるから、本願発明の「第１の信号処理手段」及び「第２の信号処理手段」に対応する構成であり、両者の間に実質的な差異はない。
ｂ．同様に、引用発明の「中継端局（Ｆ）」は、上記信号処理手段を複数備え接続するものであるから、信号処理回路ということができる。
　
　したがって、本願発明と引用発明は、以下の点で一致ないし相違する。
　
＜一致点＞
　
　「所定のシリアルディジタルデータにスクランブル処理を施して得られた入力シリアルディジタルデータに対してデスクランブル処理をする、第１の信号処理手段と、
　上記第１の信号処理手段より出力されるシリアルディジタルデータに対してスクランブル処理を施して出力シリアルディジタルデータを得る、第２の信号処理手段と
を備える信号処理回路。」
　
＜相違点１＞
　
　「第１の信号処理手段」に関し、
　本願発明は、「所定のシリアルディジタルデータに『ある生成多項式で表された』スクランブル処理を施して得られた入力シリアルディジタルデータに対して『所定の生成多項式で表された』デスクランブル処理をする、『複数の縦続接続された遅延回路と複数の排他的論理和ゲートにより構成された』」ものであるのに対し、
　引用発明は、所定のシリアルディジタルデータに『ある生成多項式で表された』スクランブル処理を施し、『所定の生成多項式で表された』デスクランブル処理をする、『複数の縦続接続された遅延回路と複数の排他的論理和ゲートにより構成された』ものであるか否か不明である点。
　
＜相違点２＞
　
　「第２の信号処理手段」に関し、
　本願発明は、「上記第１の信号処理手段より出力されるシリアルディジタルデータに対して『上記生成多項式で表される』スクランブル処理を施して出力シリアルディジタルデータを得る、『複数の縦続接続された遅延回路と複数の排他的論理和ゲートにより構成された』」ものであるのに対し、
　引用発明は、『上記生成多項式で表される』スクランブル処理を施し、『複数の縦続接続された遅延回路と複数の排他的論理和ゲートにより構成された』ものであるか否か不明である点。
　
第５　判断
　そこで、上記相違点１及び２について検討する。
　そもそも、同一のデータを復元するための必然性及び生成多項式の定義自体から自明なことであるが、シリアルディジタル伝送で用いられる、スクランブラ及びデスクランブラに関し、それぞれ、同一の生成多項式で表される処理とすること及び複数の縦続接続された遅延回路と複数の排他的論理和ゲートにより構成することは、例えば、特開平９−２８４２５９号公報（段落１５、１８、図２、３）、特開平６−１８６９０７号公報（段落４〜６、図６）に開示されるように周知技術であり、引用発明に周知技術を採用することに格別の困難性はなく、引用発明に周知技術を適用して、本願発明のように「デスクランブラ（ＤＳＣＲＢ）」（第１の信号処理手段）に関し、「所定のシリアルディジタルデータに『ある生成多項式で表された』スクランブル処理を施して得られた入力シリアルディジタルデータに対して『所定の生成多項式で表された』デスクランブル処理をする、『複数の縦続接続された遅延回路と複数の排他的論理和ゲートにより構成された』」ものとするとともに、「スクランブラ（ＳＣＲＢ）」（第２の信号処理手段）に関し、「上記第１の信号処理手段より出力されるシリアルディジタルデータに対して『上記生成多項式で表される』スクランブル処理を施して出力シリアルディジタルデータを得る、『複数の縦続接続された遅延回路と複数の排他的論理和ゲートにより構成された』」ものとすることは当業者が容易に成し得るものである。
　
　そして、本願発明の作用効果も、引用発明及び周知技術から当業者が容易に予測できる範囲のものである。
　
第６　むすび
　以上のとおり、本願発明は、引用発明及び周知技術に基いて当業者が容易に発明をすることができたものと認められるから、特許法第２９条第２項の規定により特許を受けることができない。
　
　よって、結論のとおり審決する。